(57)【要約】【課題】  レンズホルダをワイヤによって支持した構造の光ヘッド装置において、装置本体の小型・薄型化を妨げることなく、情報再生あるいは情報記録の妨げになる振動を効果的に吸収することのできる構成を提供すること。【解決手段】  光ヘッド装置１の対物レンズ駆動装置６において、ワイヤ７０によって支持されるレンズホルダ６１を逆凹の字形状として、小型・薄型化を図るとともに、その側部６８、６９の外側面６８１、６９１に対して、レンズホルダ６１の共振振動を抑制するためのダンパ手段９３を構成する。【選択図】  図７
2005149569.tif 000002
【特許請求の範囲】
【請求項１】
光源からの出射光を光記録ディスクに収束させる対物レンズと、この対物レンズを保持するレンズホルダと、該レンズホルダを移動可能な状態で支持する複数本のワイヤと、前記レンズホルダを少なくともトラッキング方向およびフォーカシング方向に駆動する磁気駆動機構とを有する光ヘッド装置において、
前記レンズホルダには、該レンズホルダの共振振動を防止するためのダンパ手段を有していることを特徴とする光ヘッド装置。
【請求項２】
請求項１において、前記対物レンズは、前記レンズホルダの上面中央に配置されていることを特徴とする光ヘッド装置。
【請求項３】
請求項２において、前記レンズホルダは、全体として上面が略長方形の直方体形状を備え、前記ダンパ手段は、前記レンズホルダのうち、長手方向における両端付近に構成されていることを特徴とする光ヘッド装置。
【請求項４】
請求項２または３において、前記レンズホルダは、当該レンズホルダの下面側のうち、前記対物レンズが配置されている部分の真下に、偏向部材を配置するための凹部が形成されていることにより、上面部および該上面部の両端部から下方に延びる一対の側部を備えた逆凹の字形状を有し、
前記ダンパ手段は、当該一対の側部の各々に対して構成されていることを特徴とする光ヘッド装置。
【請求項５】
請求項４において、前記ワイヤは、前記一対の側部の各外側面に固着された中継基板に対して連結されていることを特徴とする光ヘッド装置。
【請求項６】
請求項４または５において、前記ダンパ手段は、前記一対の側部の各外側面に構成されていることを特徴とする光ヘッド装置。
【請求項７】
請求項５において、前記ダンパ手段は、前記一対の側部の各外側面において、前記中継基板をウエイトとし、当該中継基板を前記レンズホルダに接着固定する弾性接着剤を弾性部材として構成されていることを特徴とする光ヘッド装置。
【請求項８】
請求項４において、前記ダンパ手段は、前記一対の側部の各下面に配置されていることを特徴とする光ヘッド装置。
【請求項９】
請求項４において、前記ダンパ手段は、前記一対の側部の各内側面に配置されていることを特徴とする光ヘッド装置。
【発明の詳細な説明】
【技術分野】
【０００１】
本発明は、ＣＤやＤＶＤなどの光記録ディスクの再生等に用いられる光ヘッド装置に関するものである。さらに詳しくは、光ヘッド装置において、対物レンズを保持したレンズホルダの振動防止技術に関するものである。
【背景技術】
【０００２】
ＣＤやＤＶＤなどの光記録ディスクの記録、再生等に用いられる光ヘッド装置では、対物レンズを保持したレンズホルダをトラッキング方向およびフォーカシング方向に駆動して光記録ディスクから信号の再生を行う。このような光ヘッド装置では、対物レンズを保持したレンズホルダと、このレンズホルダをトラッキング方向およびフォーカシング方向に駆動可能に支持したレンズホルダ支持部材と、レンズホルダを駆動する磁気駆動回路と、各種光学部品とが共通のフレームに搭載され、このフレームは、光記録ディスクからの情報再生時あるいは情報記録時に光記録ディスクの半径方向に移動するようになっている。
【０００３】
レンズホルダ支持部材としては、レンズホルダに形成した軸孔に嵌まる支軸によってレンズホルダを支持した軸摺動・回動タイプのものがある。このレンズホルダ支持部材は、軸孔がレンズホルダの略中央に形成されている。そのため、重いレンズを中央の軸孔位置からずらして配設せざるを得ず、レンズホルダの重心が駆動中心としての軸孔からオフセットした構造になっている。故に、レンズホルダを磁気駆動するときにその反作用によってレンズホルダ支持部材に発生する振動が、レンズホルダに伝わって対物レンズを振動させるとともに、レンズホルダ支持部材が搭載されたフレームにも伝わりフレーム上に搭載された光学部品も振動させてしまう。このため、光ヘッド装置での情報再生あるいは情報記録を正確に行うことの妨げになるので好ましくない。従って、このような軸摺動・回転構造のレンズホルダ支持部材の多くは、レンズホルダ表面に共振を抑制するためのダンパ手段が取り付けられている。ダンパ手段は、たとえばレンズホルダに固着した弾性ゴムと、その表面に固着した金属ウエイトから構成されたものである（例えば、特許文献１参照）。
【０００４】
一方、レンズホルダ支持部材として、レンズホルダをワイヤによって支持した構成のものの多くは、レンズをレンズホルダの略中央に配設した構造になっている。従って、レンズホルダの重心と駆動中心とが一致しているため振動の発生が少なく、従来は、ダンパ手段の必要がなかった。
【特許文献１】特開２００２−１８３９９５号公報
【発明の開示】
【発明が解決しようとする課題】
【０００５】
しかしながら、最近の光ヘッド装置の小型化の要請により、レンズホルダをワイヤによって支持したワイヤサスペンションタイプの光ヘッド装置において、レンズホルダの薄型化を図った結果、光ヘッド装置での情報再生あるいは情報記録に、再生不良や記録不良というような障害が発生した。その原因の所在を突き止めるために、本願出願人は、鋭意研究を行った結果、ワイヤサスペンションタイプの光ヘッド装置においても、図８（ａ）に示すように、２０ｋＨｚ前後の振動領域で高次共振が発生していることが分かった。
【０００６】
以上の問題点に鑑みて、本発明の課題は、レンズホルダをワイヤによって支持した構造の光ヘッド装置において、装置本体の小型・薄型化を妨げることなく、情報再生あるいは情報記録の妨げになる振動を効果的に吸収することのできる構成を提供することにある。
【課題を解決するための手段】
【０００７】
上記の課題を解決するために、本発明では、光源からの出射光を光記録ディスクに収束させる対物レンズと、この対物レンズを保持するレンズホルダと、該レンズホルダを移動可能な状態で支持する複数本のワイヤと、前記レンズホルダを少なくともトラッキング方向およびフォーカシング方向に駆動する磁気駆動機構とを有する光ヘッド装置において、前記レンズホルダには、該レンズホルダの共振振動を防止するためのダンパ手段を有していることを特徴とする。
【０００８】
本発明において、前記対物レンズは、例えば、前記レンズホルダの上面中央に配置されている。
【０００９】
本発明において、前記レンズホルダは、全体として上面が略長方形の直方体形状を備え、前記ダンパ手段は、前記レンズホルダのうち、長手方向における両端付近に構成されていることが好ましい。このように構成すると、レンズホルダを長手方向における両端部分が上下に振動することになる。すなわち、レンズホルダが固有共振する位置を長手方向に集約することができ、この集約した箇所にダンパ手段を配置すれば、共振振動を効果的に吸収することができる。また、レンズホルダが直方体形状であれば、長手方向と直交する短手方向で駆動コイルと駆動マグネットを対向配置することができる。また、駆動コイルおよび駆動マグネットの有効辺を大きくでき、光軸方向へ薄型化された構成において、駆動力を高めた構成を実現できる。
【００１０】
本発明において、前記レンズホルダは、当該レンズホルダの下面側のうち、前記対物レンズが配置されている部分の真下に、偏向部材を配置するための凹部が形成されていることにより、上面部および該上面部の両端部から下方に延びる一対の側部を備えた逆凹の字形状を有し、前記ダンパ手段は、当該一対の側部の各々に構成されていることが好ましい。すなわち、レンズホルダを略直方体形状に構成した場合も６面のすべてが閉鎖されていなくてもよく、例えば、レンズホルダが、対物レンズを有する上面部、および互いに対向する一方の側面部のみによって構成されていてもよい。このような構成の場合、側部が上下に振動することになるので、側部に対してダンパ手段を構成すれば、共振振動を効果的に吸収することができる。
【００１１】
本発明において、前記ワイヤは、例えば、前記一対の側部の各外側面に固着された中継基板に対して連結されている。そして、ワイヤについては、駆動コイルへの給電ワイヤとして利用されることもある。
【００１２】
本発明において、前記ダンパ手段は、例えば、前記一対の側部の各外側面に構成される。
【００１３】
本発明において、前記ダンパ手段は、前記一対の側部の各外側面において、前記中継基板をウエイトとし、当該中継基板を前記レンズホルダに接着固定する弾性接着剤を弾性部材として構成されることもある。
【００１４】
本発明において、前記ダンパ手段は、前記一対の側部の各下面に配置された構成、あるいは、前記一対の側部の各内側面に配置されている構成などを採用してもよい。
【発明の効果】
【００１５】
本発明のワイヤサスペンションタイプの光ヘッド装置において、レンズホルダに対して、共振振動を抑制するためのダンパ手段を構成したので、レンズホルダを小型・薄型化した場合でも、情報再生あるいは情報記録の妨げになる振動を効果的に吸収することができる。
【発明を実施するための最良の形態】
【００１６】
以下に、図面を参照して、本発明を適用した光ヘッド装置の一例を説明する。
［実施の形態１］
（全体構成）
図１は、本発明に係る光ヘッド装置の光学系を中心に示す概略構成図である。この図に示すように、光ヘッド装置１は、ＣＤあるいはＤＶＤなどの光記録ディスク２に対する情報記録、情報再生を行うものであり、レーザ光源３から出射されたレーザ光Ｌが、コリメータレンズ４１で平行光化された後、偏向部材としての立上げミラー４２で反射し、対物レンズ５で収束されて光記録ディスク２の情報記録面に焦点を結ぶように構成されている。対物レンズ５は、後述するワイヤサスペンション方式の対物レンズ駆動装置６によってトラッキング方向、フォーカシング方向、およびチルト方向の位置がサーボ制御される。
【００１７】
光記録ディスク２で反射した戻り光は、対物レンズ５を通過して再び立上げミラー４２で反射し、ビームスプリッタ４３で部分反射された後、光検出器４４に入射する。駆動制御装置９は、光検出器４４での受光量に基づき、情報再生処理を行うとともに、対物レンズ駆動装置６を駆動制御して対物レンズ５のトラッキング方向、フォーカシング方向、およびチルト方向の位置をサーボ制御する。また、レーザ光源３の駆動制御も行う。
【００１８】
なお、図１には、レーザ光源が１つ、搭載された例を示したが、異なる波長のレーザ光を出射する複数のレーザ光源を用いる場合には、光路合成素子によって各レーザ光を共通光路に導く構成とする。
【００１９】
（対物レンズ駆動装置６の構成）
図２は、図１に示す光ヘッド装置に用いた対物レンズ駆動装置の斜視図である。図３は、図１に示す光ヘッド装置に用いた対物レンズ駆動装置のレンズホルダなどを抜き出して示す斜視図である。図４は、図２に示す対物レンズ駆動装置から磁気駆動機構などを抜き出して示す斜視図である。図５（ａ）、（ｂ）は、図２に示す対物レンズ駆動装置からから磁気駆動機構などを抜き出して示す平面図、および側面図である。図６（ａ）、（ｂ）は、図２に示す対物レンズ駆動装置に用いた共通駆動マグネットの斜視図、および正面図である。
【００２０】
図２および図３に示すように、対物レンズ駆動装置６は、対物レンズ５を保持するレンズホルダ６１と、レンズホルダ６１の長尺方向の左右両側で上下３段に配置された６本のワイヤ７０によりレンズホルダ６１をトラッキング方向（矢印Ｔｒで示す方向）、フォーカシング方向（矢印Ｆｏで示す方向）、およびチルト方向（矢印Ｔｉで示す方向）に変位可能に支持するホルダ支持部材６３と、レンズホルダ６１をトラッキング方向Ｔｒ、フォーカシング方向Ｆｏ、およびチルト方向Ｔｉに駆動するための磁気駆動機構８とを有している。
【００２１】
レンズホルダ６１は、全体として上面が略長方形の直方体形状を備えており、上面部６７の略中央位置で対物レンズ５を保持している。また、レンズホルダ６１は、長手方向がトラッキング方向（左右方向）に向くように配置されている。レンズホルダ６１の下面側には、対物レンズ５が配置されている部分の真下に、後述する立上げミラー４２（偏向部材）を内部に収納する凹部６６が形成され、この凹部６６によって、立ち上げミラー４２への光路が確保されている。このため、レンズホルダ６１は、対物レンズ５を保持する上面部６７、およびこの上面部６７の両端部から下方に延びる一対の側部６８、６９を備えており、正面からみたとき逆凹の字形状を有している。
【００２２】
レンズホルダ６１の両側に配置された６本のワイヤ７０は各々、以下に説明するフォーカシング用駆動コイル、トラッキング用駆動コイル、およびチルト用駆動コイルへの給電ワイヤとして用いられている。このため、ワイヤ７０の基端側は、ホルダ支持部材６３の背面に取り付けた例えばプリント基板７１の配線パターンにハンダ等により各々固定されている。また、ワイヤ７０の先端側は、レンズホルダ６１の左右両側に固着されている中継基板７２にハンダにより固定されている。
【００２３】
（磁気駆動機構８の構成）
図２ないし図５に示すように、磁気駆動機構８は、レンズホルダ６１の側に搭載されたフォーカシング用駆動コイル１１、トラッキング用駆動コイル１２、チルト用駆動コイル１３と、これらの駆動コイル１１、１２、１３に鎖交する磁束を発生させることにより、トラッキング用、フォーカシング用、およびチルト用の磁気駆動回路を構成する一対の共通駆動マグネット１８と、ヨーク６５とを有している。
【００２４】
３種類の駆動コイルのうち、フォーカシング用駆動コイル１１は、レンズホルダ６１の胴部に巻回され、このフォーカシング用駆動コイル１１に対してフォーカシング方向Ｆｏの下側に隣接する位置には、トラッキング方向Ｔｒで離間する位置に一対のチルト用駆動コイル１３が配置されている。また、トラッキング用駆動コイル１２は、４個の平面コイルからなり、これら４個の平面コイルは、トラッキング方向で離間する位置でフォーカシング用駆動コイル１２、およびチルト用駆動コイル１３の外面に貼付されている。
【００２５】
一対の共通駆動マグネット１８は、レンズホルダ６１を挟む両側位置で、同極（Ｎ極）をレンズホルダ６１の側に向けるように配置され、その状態で、駆動コイル１１、１２、１３の各々に対向している。
【００２６】
ヨーク６５は、磁気駆動機構８の構成要素として用いられているとともに、光ヘッド装置１の装置フレームへの固定側部材として用いられ、その上方にレンズホルダ６１がフォーカシング方向Ｆｏ、トラッキング方向Ｔｒ、およびチルト方向Ｔｉに変位可能に配置されている。
【００２７】
本形態において、ヨーク６５は、０．８ｍｍの薄板状のめっき鋼板（磁性板）をプレス加工することにより形成され、共通駆動マグネット１８は、装置フレーム（図示せず）上に搭載されるヨーク６５の底板部６５１を内側（レンズホルダ６１が位置する側）から切起こすことによって形成した一対のマグネット保持部６５２の内面に固着されている。このため、図５（ｂ）に示すように、ヨーク６５の底板部６５１では、共通駆動マグネット１８と平面的に重なる領域が磁性板のない開口になっている。
【００２８】
ここで、ヨーク６５の内側では、樹脂製のミラー支持部材７７が取り付けられ、このミラー支持部材７７には、レーザ光源３から出射されたレーザ光Ｌを対物レンズ５に向けて反射する立上げミラー４２が保持されている。この状態で、立上げミラー４２の上端側は、ヨーク６５より上方に位置している。このため、マグネット保持部６５２および共通駆動マグネット１８は、立上げミラー４２への光路を確保する矩形の切り欠き１８１、６５３が形成され、逆凹の字形状になっている。
【００２９】
即ち、図６（ａ）、（ｂ）に示すように、共通駆動マグネット１８は、光路を挟んで両側で直立して、トラッキング用駆動コイル１２の有効辺部分１２１、およびチルト用駆動コイル１３の有効辺部分１３１と対向する一対の縦辺部１８２と、これらの縦辺部１８２を繋げるように水平方向に延びてフォーカシング用駆動コイル１１の有効辺部分１１１に対向する横辺部１８３とを有している。
【００３０】
ここで、立上げミラー４２への光路を確保するという観点からすれば、一対のマグネット保持部６５２の一方、および一対の共通駆動マグネット１８の一方のみに切り欠き１８１、６５３を形成すればよいが、本形態では、磁気的対称性を確保するという観点から、一対のマグネット保持部６５２の両方、および一対の共通駆動マグネット１８の両方に切り欠き１８１、６５３が形成されている。
【００３１】
なお、本形態の光ヘッド装置１では、ＦＥＭ磁場解析ソフトを用いて、レンズホルダ６１の駆動感度、駆動感度リニアリティ、Ｆｏ−Ｔｒクロストーク特性（不要推力の低減）が最適になるように、ヨーク６５の形状、共通駆動マグネット１８の形状、駆動コイル１１、１２、１３の形状、および共通駆動マグネット１８と駆動コイル１１、１２、１３との位置関係の設計を行っている。また、本形態では、ヨーク６５の底板部６５１では、共通駆動マグネット１８と平面的に重なる領域の全体が磁性板のない開口になっていたが、本形態のように、共通駆動マグネット１８が逆凹の字形状を有している場合には、少なくとも共通駆動マグネット１８の下端面、すなわち、共通駆動マグネット１８の縦辺部１８２と平面的に重なる領域が磁性板のない開口になっていればよく、ヨーク６５の底板部６５１において横辺部１８１と平面的に重なる領域については、縦辺部１８２の高さ寸法などによっては、磁性板が存在していてもよい。
【００３２】
（レンズホルダの防振構造）
図７は、図３に示すレンズホルダに対してダンパ手段を設けた様子を示す斜視図である。図８（ａ），（ｂ）は、図３に示すレンズホルダにダンパ手段を構成しない場合、およびダンパ手段を構成した場合における対物レンズ駆動装置のフォーカス方向における周波数に対する高次共振の大きさの関係を示すグラフである。
【００３３】
図７に示すように、レンズホルダ６１には、レンズホルダ６１の駆動時にレンズホルダ６１が振動することを防止するためのダンパ手段９３が構成されている。このダンパ手段９３は、レンズホルダ６１の側部６８、６９の外側面６８１、６９１と、この外側面６８１、６９１に固着されている中継基板７２との間に構成されている。
【００３４】
すなわち、ダンパ手段９３は、クロロプレンゴムなどの弾性体からなる略長方形の弾性部材９１と、真鍮などの金属板からなるウエイト９２とから構成されており、弾性部材９１は、レンズホルダ６１の側部６８、６９の外側面６８１、６９１に接着剤または粘着材などにより固着され、弾性部材９１の外面にウエイト９２が接着剤または粘着材などにより固着されている。
【００３５】
なお、本形態では、レンズホルダ６１から側方に向けて、中継基板７２の位置決め用の突起６２が突出し、中継基板７２には、突起６２が嵌まる係合孔７３が形成されている。このような構成において、係合孔７３と突起６２とを接着剤により固定した場合、中継基板７２については、ウエイト９２の表面に接着せず、ウエイト９２の変位を妨げない構成とすることが好ましい。
【００３６】
また、中継基板７２をウエイト９２の表面に接着剤または粘着剤などを用いて固着した場合には、中継基板７２の係合孔７３にレンズホルダ６１の突起６２を接着剤により固定せず、中継基板７２の係合孔７３にレンズホルダ６１の突起６２が緩く嵌った状態のままとする。このように構成すると、ウエイト９２を変位可能な状態とすることができ、かつ、中継基板７２自身をダンパ手段９３のウエイトの一部として機能させることができる。
【００３７】
（本形態の効果）
以上説明したように、本形態の光ヘッド装置１は、レンズホルダ６１をワイヤ７０によって支持したワイヤサスペンションタイプであるが、レンズホルダ６１に対してダンパ手段９３を構成したので、レンズホルダ６１を小型・薄型化した場合でも、レンズホルダ６１の振動を吸収することができる。
【００３８】
また、レンズホルダ６１が略直方体から構成されているので、レンズホルダ６１の長手方向における両端部分が上下に振動する。しかも、レンズホルダ６１には、対物レンズ５が配置されている部分の真下に凹部６６が形成されているため、上面部６７が薄いので、側部６８、６９が上下に振動する。すなわち、本形態では、レンズホルダ６１が固有共振する位置を長手方向に集約し、振動を集約した側部６８、６９に対してダンパ手段９３を配置したため、レンズホルダ６１の共振振動を効果的に吸収することができる。
【００３９】
それ故、本形態の光ヘッド装置では、図８（ｂ）に示すように、２０ｋＨｚ前後の振動領域で高次共振が、図８（ａ）に示す結果と比較して、極めて小さくなる。このため、フォーカシング補正およびトラッキング補正を安定して行うことができる。
【００４０】
また、レンズホルダ６１は、直方体の上面部６７の中央位置に対物レンズ５を配置し、かつ、対物レンズ５の真下に凹部６６を形成したため、この凹部６６に光源からの出射光を対物レンズ５に偏向する立上げミラー４２を配設できるので、凹部６６内に進入した立上げミラー４２の寸法分だけ光軸方向の寸法を短縮化できる。
【００４１】
さらに、レンズホルダ６１を直方体形状に構成し、その短手方向において、駆動コイル１１、１２と共通駆動マグネット１８を対向配置したので、設計の自由度が大きい。また、駆動コイル１１、１２と、共通駆動マグネット１８とをレンズホルダ６１の長手方向を有効利用して対向させているので、有効辺が長い。それ故、薄型化した光ヘッド装置１であっても、大きな駆動力を確保することができる。
【００４２】
［実施の形態２］
図９は、本発明の実施の形態２に係る光ヘッド装置において、レンズホルダに対してダンパ手段を設けた様子を示す斜視図である。なお、本実施の形態、および後述する実施の形態３〜５に係る光ヘッド装置はいずれも、基本的な構成が実施の形態１と共通しているので、共通している部分については、同一の符号を付して図示することにして、それらの説明を省略する。
【００４３】
図９に示すように、本形態では、中継基板７２の係合孔７３に対してレンズホルダ６１の突起６２を嵌めた状態で、中継基板７２をレンズホルダ６１の側部６８、６９の外側面６８１、６９１に固定してある。また、中継基板７２の表面には、クロロプレンゴムなどの弾性体からなる略長方形の弾性部材９１を接着剤または粘着材などにより固着し、さらに弾性部材９１の外面にウエイト９２を接着剤または粘着材などにより固着してダンパ手段９３を構成してある。それ故、レンズホルダ６１を小型・薄型化した場合でも、レンズホルダ６１の振動を吸収することができるなど、実施の形態１と同様な効果を奏する。
【００４４】
［実施の形態３］
図１０は、本発明の実施の形態３に係る光ヘッド装置において、レンズホルダに対してダンパ手段を設けた様子を示す斜視図である。
【００４５】
図１０に示すように、本形態では、レンズホルダ６１の側部６８、６９の外側面６８１、６９１に対して、クロロプレンゴムなどの弾性体からなる略長方形の弾性部材９１を接着剤または粘着材などにより固着し、さらに弾性部材９１の表面に中継基板７２を接着剤または粘着材などにより固着してある。このため、中継基板７２は、それ自身がダンパ手段９３のウエイト９２として機能する。従って、レンズホルダ６１を小型・薄型化した場合でも、レンズホルダ６１の振動を吸収することができるなど、実施の形態１と同様な効果を奏する。
【００４６】
なお、本形態の場合、中継基板７２の係合孔７３にレンズホルダ６１の突起６２を接着剤により固定せず、中継基板７２の係合孔７３にレンズホルダ６１の突起６２が緩く嵌った状態のままにすれば、ウエイト９２としての中継基板７２を変位可能な状態とすることができる。また、中継基板７２がウエイト９２としては軽すぎる場合には、中継基板７２に対してハンダを多く付けて重くしてもよい。
【００４７】
［実施の形態４］
図１１は、本発明の実施の形態４に係る光ヘッド装置において、レンズホルダに対してダンパ手段を設けた様子を示す斜視図である。
【００４８】
図１１に示すように、本形態では、レンズホルダ６１の側部６８、６９の下面６８２、６９２に対して略長方形の弾性部材９１を接着剤または粘着材などにより固着し、さらに弾性部材９１の下面にウエイト９２を接着剤または粘着材などにより固着し、ダンパ手段９３を構成してある。このように構成した場合も、レンズホルダ６１を小型・薄型化した場合でも、レンズホルダ６１の振動を吸収することができるなど、実施の形態１と同様な効果を奏する。
【００４９】
［実施の形態５］
図１２は、本発明の実施の形態５に係る光ヘッド装置において、レンズホルダに対してダンパ手段を設けた様子を示す斜視図である。
【００５０】
図１２に示すように、本形態では、レンズホルダ６１の側部６８、６９の内側面６８３、６９３に対して略長方形の弾性部材９１を接着剤または粘着材などにより固着し、さらに弾性部材９１の表面にウエイト９２を接着剤または粘着材などにより固着し、ダンパ手段９３を構成してある。このように構成した場合も、レンズホルダ６１を小型・薄型化した場合でも、レンズホルダ６１の振動を吸収することができるなど、実施の形態１と同様な効果を奏する。
【００５１】
［その他の実施の形態］
上記の形態では、ダンパ手段９３を構成するにあたって、クロロプレンゴムなどの弾性部材９１を用いたが、クロロプレン系接着剤などといった弾性をもった接着剤を厚く塗布してウエイト９２を取り付ければ、接着剤自身をダンパ手段９３の弾性部材９１として利用することができる。
【００５２】
なお、弾性部材９１の材質については、クロロプレン系に限らず、各種材料のものを用いることができる。
【産業上の利用可能性】
【００５３】
本発明のワイヤサスペンションタイプの光ヘッド装置において、レンズホルダに対して、共振振動を抑制するためのダンパ手段を構成したので、レンズホルダを小型・薄型化した場合でも、情報再生あるいは情報記録の妨げになる振動を効果的に吸収することができる。
【図面の簡単な説明】
【００５４】
【図１】本発明の実施の形態１に係る光ヘッド装置の光学系を中心に示す概略構成図である。
【図２】図１に示す光ヘッド装置に用いた対物レンズ駆動装置の斜視図である。
【図３】図１に示す光ヘッド装置に用いた対物レンズ駆動装置のレンズホルダなどを抜き出して示す斜視図である。
【図４】図２に示す対物レンズ駆動装置から磁気駆動機構などを抜き出して示す斜視図である。
【図５】（ａ）、（ｂ）は、図２に示す対物レンズ駆動装置からから磁気駆動機構などを抜き出して示す平面図、および側面図である。
【図６】（ａ）、（ｂ）は、図２に示す対物レンズ駆動装置に用いた共通駆動マグネットの斜視図、および正面図である。
【図７】図３に示すレンズホルダに対してダンパ手段を設けた様子を示す斜視図である。
【図８】（ａ）、（ｂ）は、本発明の実施の形態１に係る光ヘッド装置において、レンズホルダにダンパ手段を構成しない場合、およびダンパ手段を構成した場合における対物レンズ駆動装置のフォーカス方向における周波数に対する高次共振の大きさの関係を示すグラフである。
【図９】本発明の実施の形態２に係る光ヘッド装置において、レンズホルダに対してダンパ手段を設けた様子を示す斜視図である。
【図１０】本発明の実施の形態３に係る光ヘッド装置において、レンズホルダに対してダンパ手段を設けた様子を示す斜視図である。
【図１１】本発明の実施の形態４に係る光ヘッド装置において、レンズホルダに対してダンパ手段を設けた様子を示す斜視図である。
【図１２】本発明の実施の形態５に係る光ヘッド装置において、レンズホルダに対してダンパ手段を設けた様子を示す斜視図である。
【符号の説明】
【００５５】
１  光ヘッド装置
２  光記録ディスク
３  レーザ光源
５  対物レンズ
６  対物レンズ駆動装置
８  磁気駆動機構
１１  フォーカシング用駆動コイル
１２  トラッキング用駆動コイル
１３  チルト用駆動コイル
１８  共通駆動マグネット
４２  立上げミラー（偏向部材）
６１  レンズホルダ
６５  ヨーク
６６  凹部
６７  レンズホルダの上面部
６８、６９  レンズホルダの側部
６８１、６９１  レンズホルダの側部の外側面
６８２、６９２  レンズホルダの側部の下面
６８３、６９３  レンズホルダの側部の内側面
７０  ワイヤ
９１  弾性部材
９２  ウエイト
９３  ダンパ手段
Ｌ  レーザ光
【図１】
2005149569.tif 000003
【図２】
2005149569.tif 000004
【図３】
2005149569.tif 000005
【図４】
2005149569.tif 000006
【図５】
2005149569.tif 000007
【図６】
2005149569.tif 000008
【図７】
2005149569.tif 000009
【図８】
2005149569.tif 000010
【図９】
2005149569.tif 000011
【図１０】
2005149569.tif 000012
【図１１】
2005149569.tif 000013
【図１２】
2005149569.tif 000014